(57)【特許請求の範囲】
【請求項１】
遊技盤が取付けられた前面板と、
前記前面板にヒンジを介して開閉可能に取付けられ、前記遊技盤を遊技者側である前方から覆うガラス板を支持するものであって前記前面板に比べて前方に位置する前面扉と、
前記前面板に設けられ、遊技者側である前面が開放され且つ後面に底壁部を有するランプ装着部を備えたランプ収容容器と、
前記ランプ装着部の後方に設けられ、前記ランプ装着部の底壁部によって前方から覆われた配線基板と、
前記ランプ装着部の底壁部に設けられ、前記ランプ装着部の底壁部から前方へ突出するものであって前面および後面のそれぞれが開口する筒状をなすと共に前記前面扉の閉鎖状態で前記前面扉の後面に密接する白色の複数の光ガイド部と、
前記配線基板の前面に前記複数の光ガイド部内のそれぞれに位置して設けられた複数の接続器と、
前記前面扉の開放状態で前方から前記複数の光ガイド部内のそれぞれを通して前記接続器に着脱可能に接続されるものであって、前記複数の光ガイド部のそれぞれによって前方に向けて光が案内される複数のランプと、
前記前面扉に設けられ、前記前面扉の閉鎖状態で前記複数の光ガイド部のそれぞれに前方から対向するものであって前記複数の光ガイド部のそれぞれが前方に向けて案内する光を発散させる複数のランプカバーを備え、
前記複数のランプのそれぞれは、タイミングをずらして順に点滅することで光が流れる様子を演出するものであることを特徴とするパチンコ機。
【発明の詳細な説明】
【０００１】
【発明の属する技術分野】
本発明は、パチンコ機本体にランプ等の電気部品が装着された構成のパチンコ機に関する。
【０００２】
【発明が解決しようとする課題】
パチンコ機には、パチンコ機本体の上部に枠ランプ等の電気部品を装着した構成のものがある。しかしながら、従来構成の場合、パチンコ機本体の上部に枠ランプを覆うカバーがねじ止めされていたので、例えば枠ランプが球切れしたときには、前面側からねじを緩めてカバーを取外した後、枠ランプを交換する面倒なメンテナンス作業を行う必要があった。
本発明は上記事情に鑑みてなされたもので、その目的は、電気部品のメンテナンス作業を簡単に行うことができるパチンコ機を提供することである。
【０００３】
【課題を解決するための手段】
請求項１記載のパチンコ機は、遊技盤が取付けられた前面板と、前記前面板にヒンジを介して開閉可能に取付けられ前記遊技盤を遊技者側である前方から覆うガラス板を支持するものであって前記前面板に比べて前方に位置する前面扉と、前記前面板に設けられ遊技者側である前面が開放され且つ後面に底壁部を有するランプ装着部を備えたランプ収容容器と、前記ランプ装着部の後方に設けられ前記ランプ装着部の底壁部によって前方から覆われた配線基板と、前記ランプ装着部の底壁部に設けられ前記ランプ装着部の底壁部から前方へ突出するものであって前面および後面のそれぞれが開口する筒状をなすと共に前記前面扉の閉鎖状態で前記前面扉の後面に密接する白色の複数の光ガイド部と、前記配線基板の前面に前記複数の光ガイド部内のそれぞれに位置して設けられた複数の接続器と、前記前面扉の開放状態で前方から前記複数の光ガイド部内のそれぞれを通して前記接続器に着脱可能に接続されるものであって前記複数の光ガイド部のそれぞれによって前方に向けて光が案内される複数のランプと、前記前面扉に設けられ前記前面扉の閉鎖状態で前記複数の光ガイド部のそれぞれに前方から対向するものであって前記複数の光ガイド部のそれぞれが前方に向けて案内する光を発散させる複数のランプカバーを備え、前記複数のランプのそれぞれはタイミングをずらして順に点滅することで光が流れる様子を演出するものであるところに特徴を有している。
上記手段によれば、前面扉を開放操作すると、ランプのランプカバーが前面扉と一体的に移動し、ランプが前面側に露出する。このため、ねじを緩めてランプカバーを取外す手間をかけることなく、ランプのメンテナンス作業を前面側から簡単に行うことができる。
【００１０】
【発明の実施の形態】
以下、本発明の第１実施例を図１ないし図５を参照して説明する。
まず、図１において、パチンコ機１の前面の上部には、その中央部に発光体収容器たるランプ収容器２が、両端部にスピーカ３が取付けられている。尚、スピーカ３は電気部品に相当するものである。
【００１１】
パチンコ機１は、前面板４と外枠５とからなるパチンコ機本体６と、前面板４の前面にヒンジ７を介して開閉可能に取付けられた前面扉８とから構成されている。この前面扉８は、その右辺部にて前記前面板４に図示しない係止部材を介して係止されるようになっている。これにて、通常時（遊技可能時）には、前面扉８は前面板４の前面にあてがわれている。
【００１２】
前面板４には、矩形状の遊技盤９が取付けられている。そして、図示はしないが、前面板４の裏面には遊技盤９の裏側に位置するように機構盤が取付けられており、この機構盤に賞球タンクや賞球排出機構などが設けられている。
【００１３】
前面扉８には、遊技盤９に対応して矩形に開口する開口部１０が設けられ、この開口部１０の内部にガラス板１１が嵌め込まれている。これにて、前面扉８を前面板４の前面にあてがったとき、ガラス板１１により遊技盤９の前面が覆われるようになっている。
【００１４】
ランプ収容器２は、パチンコ機本体６側に設けられた発光体収容部たるランプ収容部１２と、前面扉８側に設けられた３個の発光体カバーたるランプカバー１３ａ，１３ｂ，１３ｃとから構成されており、まず、ランプ収容部１２について図３及び図４をも参照して説明する。ランプ収容部１２は、浅底の矩形箱状をなすランプ装着部１４とこの両側に一体に設けられたスピーカ挿入部１５，１５とランプ装着部１４の裏面に取付けられた配線基板１６とから構成されており、例えば白色の合成樹脂によって形成されている。ランプ収容部１２は、パチンコ機本体６の前面板４の上部に設けられた開口部１７内に嵌め込まれてねじ１８，１８により取付けられている。ここで、ランプ収容部１２のスピーカ挿入部１５，１５にはスピーカ３，３が取付けられている。
【００１５】
ランプ装着部１４の底壁部１４ａには、例えば３個の円形の孔２０ａ〜２０ｃが設けられている。そして、底壁部１４ａの前面側における前記孔２０ａ〜２０ｃの開口縁部には、それぞれ円筒状の光ガイド部２１ａ〜２１ｃが一体に突設されている。この光ガイド部２１ａ〜２１ｃの前後方向長さ寸法は、前面扉８を閉じたとき前面扉８の裏面と光ガイド部２１ａ〜２１ｃの先端面とが密接する程度に設定されている。
【００１６】
配線基板１６はほぼ矩形状をなし、３個の孔２０ａ〜２０ｃを塞ぐようにランプ装着部１４の底壁部１４ａの裏面側に当接され、ねじ２２，２２により固定されている。この配線基板１６の前面には、孔２０ａ〜２０ｃの中心部に対応して接続器に相当する３対のピン端子１６ａ〜１６ｃが設けられ、これらピン端子１６ａ〜１６ｃには、電気部品に相当する３個の発光体、例えばランプ２３ａ〜２３ｃが着脱可能に装着されている。この場合、各ランプ２３ａ〜２３ｃの基端部には２個の孔状の受け端子が設けられており、この受け端子にピン端子１６ａ〜１６ｃを嵌合させることにより、各ランプ２３ａ〜２３ｃをピン端子１６ａ〜１６ｃに装着している。また、配線基板１６の裏面からは前記ランプ２３ａ〜２３ｃへ電源を供給する配線コード（図示せず）が導出されている。尚、この場合、配線基板１６に配線コード用のコネクタを設け、このコネクタに配線コードが着脱可能に取付けられるように構成することができる。そして、配線基板１６をランプ装着部１４に固定したとき、ランプ２３ａ〜２３ｃはそれぞれ光ガイド部２１ａ〜２１ｃにより囲まれるようになっている。
【００１７】
ランプカバー１３ａ〜１３ｃは、図５に示すように、それぞれ透光性の合成樹脂によって有底筒状に形成されていると共に、その底面部がレンズとなるように形成されている。ランプカバー１３ａ〜１３ｃは、前面扉８の上部に形成された３個の開口部２４ａ〜２４ｃを覆うように前面扉８の前面に取付けられ、ねじ２５により固定されている。
【００１８】
前面扉８には、ランプカバー１３ａ，１３ｃの両側に位置してスピーカカバー２６，２６が取付けられている。スピーカカバー２６，２６は、開口部２４ａ，２４ｃの両側に形成された開口部２７，２７に嵌合固定されている。スピーカカバー２６は、一端側に鍔部２６ａを有した有底筒状に形成されており、前面扉８の裏面側から前記開口部２７内に挿入すると共に鍔部２６ａを前面扉８に当接させてねじ２８止めすることにより前面扉８に取付けられている。
【００１９】
上記構成の場合、パチンコ機本体６にランプ２３ａ〜２３ｃおよびスピーカ３，３を装着し、前面扉８にランプカバー１３ａ〜１３ｃおよびスピーカカバー２６，２６を装着した。このため、前面扉８を開放操作すると、ランプカバー１３ａ〜１３ｃおよびスピーカカバー２６，２６が前面扉８と一体的に移動し、ランプ２３ａ〜２３ｃおよびスピーカ３，３が前面側に露出する。従って、ねじを緩めてランプカバー１３ａ〜１３ｃおよびスピーカカバー２６，２６を取外す手間が不要になるので、ランプ２３ａ〜２３ｃおよびスピーカ３，３のメンテナンス作業（交換，清掃，保守点検等）を前面側から簡単に行うことができる。
【００２０】
特に、ランプ２３ａ〜２３ｃのいずれかが切れて交換の必要が生じた場合には、係止部材の係止を解き、前面扉８を開放させるだけでランプ収容部１２の配線基板１６からランプ２３ａ〜２３ｃを取外すことが可能になるので、ランプ２３ａ〜２３ｃの交換を極めて容易に行うことができる。しかもこのとき、配線コードが接続された配線基板１６を取外す必要がないので、配線コードが破損することがない。
【００２１】
また、交換等のメンテナンス作業の頻度が高いランプ２３ａ〜２３ｃおよび清掃等のメンテナンス作業の頻度が比較的高いスピーカ３，３をパチンコ機本体６に装着した。このため、ねじを緩めてランプカバー１３ａ〜１３ｃおよびスピーカカバー２６、２６を取外す作業を繰返し行う必要がなくなるので、ランプ２３ａ〜２３ｃのメンテナンス作業およびスピーカ３，３のメンテナンス作業の点で一層有利になる。しかも、前面扉８を開放操作すると、メンテナンス作業の頻度が高いランプ２３ａ〜２３ｃおよびスピーカ３，３が同時に露出し、ランプ２３ａ〜２３ｃおよびスピーカ３，３のメンテナンス作業を前面側から一度に行うことができるので、メンテナンス作業性が一層向上する。
【００２２】
また、ランプ２３ａ〜２３ｃを配線基板１６を介して配線コードに接続した。このため、ランプ２３ａ〜２３ｃに個別に配線コードを直接接続する場合とは異なり、配線コードが入り乱れることが防止されるので、配線が簡素化される。  また、ランプ２３ａ〜２３ｃをピン端子１６ａ〜１６ｃを介して配線基板１６に接続した。このため、ランプ２３ａ〜２３ｃと配線基板１６との間を接続する中継コードが不要になるので、特に配線基板１６上の配線が簡素化される。
【００２３】
また、ランプカバー１３ａ〜１３ｃを前面扉８に固定し、ランプ収容部１２を前面板４に固定したので、ランプ２３ａ〜２３ｃからランプカバー１３ａ〜１３ｃの内底面までの距離を長く設計し易くなる。このため、ランプカバー１３ａ〜１３ｃによるランプ２３ａ〜２３ｃの光を発散させるレンズ効果を大きくすることが可能になる。
【００２４】
また、ランプ収容部１２を、パチンコ機本体６の前面板４と別部材としたので、前面板４の色とは関係なく白色とすることができる。このため、ランプ２３ａ〜２３ｃから発光された光をランプ収容部１２により効率良く反射することができる。さらに、ランプ収容部１２にスピーカ挿入部１５を一体に形成したので、部品点数が少なくなると共に組立性が向上する。
【００２５】
一方、上記構成のパチンコ機１において遊技が行われる際に、大当たり等の特定遊技状態が発生すると、ランプ２３ａ〜２３ｃが点滅する。これは、大当たりが発生したことを報知して遊技者の遊技意欲を高めることを狙ったものである。この場合、各ランプ２３ａ〜２３ｃがそれぞれ光ガイド部２１ａ〜２１ｃに囲まれているので、点灯したランプ２３ａ〜２３ｃから発光された光が周囲に分散することなく、光ガイド部２１ａ〜２１ｃにより前方に向けて案内される。しかも、光ガイド部２１ａ〜２１ｃの先端面が前面扉８の裏面に密接しているので、各ランプ２３ａ〜２３ｃから発光された光が対応するランプカバー１３ａ〜１３ｃから外部に発散される。そのため、例えば左側のランプ２２ａから順にタイミングをずらして繰り返し点滅するように構成した場合であっても、各ランプ２３ａ〜２３ｃからの光が混じってしまうことがなく、左側から順に光が流れるような様子を得ることができる。
【００２６】
また、ランプ収容器２は、遊技中に補給球切れ、賞球切れ、セーフ球排出エラー等が発生した場合にも、その旨を報知するために、例えば補給球切れの場合は左側のランプ２３ａが点灯し、賞球切れの場合は中央のランプ２３ｂが点灯し、セーフ球排出エラーの場合は右側のランプ２３ｃが点灯するように構成されている。そして、このように報知内容に応じて点灯するランプ２３ａ〜２３ｃが異なるように構成しても、各ランプ２３ａ〜２３ｃが光ガイド部２１ａ〜２１ｃに囲まれているため、点灯したランプ２３ａ〜２３ｃの光が対応するランプカバー１３ａ〜１３ｃから外部に放射される。そのため、いずれのランプ２３ａ〜２３ｃが点灯しているかを目視により判別し易くなり、報知内容を確実に判断することができる。
【００２７】
次に本発明の第２実施例を図６に基づいて説明する。尚、上記第１実施例と同一部分には同一符号を付して説明を省略し、以下、異なる部分についてのみ説明を行う。
【００２８】
前面扉８の上部には開口部３２が形成されており、前面扉８には、横方向に長く形成された１個のランプカバー３１が開口部３２を覆うようにねじ３３により固定されている。そして、前面扉８を閉じた状態のとき、ランプカバー３１は、ランプ収容部１２に装着された３個のランプ２３ａ〜２３ｃすべてを覆うように構成されている。
【００２９】
本実施例によれば、上記第１実施例と同様の作用効果が得られる上、ランプカバー３１を一体化しても、ランプ収容器２のランプ２３ａ〜２３ｃを点灯・点滅させて、報知等を行うことができる。即ち、３個のランプ２３ａ〜２３ｃすべてを同時に点灯・点滅させる場合、或いは、いずれのランプ２３ａ〜２３ｃが点灯したかを区別する必要がない場合には、ランプカバー３１を複数個設ける必要がないのである。
尚、この場合、ランプ収容部１２は、第１実施例と同様の構成でも良いが、ランプ装着部１４に光ガイド部２１ａ〜２１ｃを設けない構成としても良い。
【００３０】
次に本発明の第３実施例を図７に基づいて説明する。尚、上記第１実施例と同一部分には同一符号を付して説明を省略し、以下、異なる部分についてのみ説明を行う。
【００３１】
ランプ収容部４１は、浅底の矩形箱状をなすランプ装着部４２とこの両側に一体に設けられたスピーカ挿入部４３，４３とから構成され、ランプ装着部４２の底壁部４２ａには、電気部品に相当する３個のランプ４４ａ〜４４ｃが着脱可能に装着されている。そして、前面扉８には、３個のランプ４４ａ〜４４ｃに対応して位置するように、ランプカバー４５ａ〜４５ｃが取付けられている。この場合、ランプカバー４５ａ〜４５ｃは、前面扉８の上部に設けられた３個の開口部（図示せず）に挿通されて接着等で固定されている。このとき、ランプカバー４５ａ〜４５ｃの先端部分が前面扉８の裏面側に突出するようになっており、この突出部分が光ガイド部４６ａ〜４６ｃとされている。この光ガイド部４６ａ〜４６ｃの前後方向長さ寸法は、前面扉８を閉じたとき光ガイド部４６ａ〜４６ｃの先端面とランプ装着部４２の底壁部４２ａとが密接する程度に設定されている。
【００３２】
本実施例によれば、上記第１実施例と同様の作用効果が得られる上、前面扉８を閉じたとき、各ランプ４４ａ〜４４ｃはそれぞれ光ガイド部４６ａ〜４６ｃに囲まれるようになり、点灯したランプ４４ａ〜４４ｃから発光された光が周囲に分散されることなく前方に案内される。尚、光ガイド部４６ａ〜４６ｃはランプカバー４５ａ〜４５ｃと別体としても良く、例えば、前面扉８の前面側にランプカバー４５ａ〜４５ｃを取付けると共に裏面側に光ガイド部４６ａ〜４６ｃを取付けるように構成することもできる。
【００３３】
尚、上記第１〜第３実施例は、上記し且つ図面に記載したものに限られるものではなく、次のような変形或いは拡張が可能である。
各光ガイド部２１ａ〜２１ｃ、４６ａ〜４６ｃにより囲まれるランプ２３ａ〜２３ｃ、４４ａ〜４４ｃはそれぞれ１個ずつとしたが、これに限らず２個以上としても良い。
【００３４】
ランプ装着部１４，４２に装着されるランプは、複数に限らず１個でも良い。また、ランプの周囲に光ガイド部を設けない構成としても良い。
ランプ収容部１２，４１は、ランプ装着部１４，４２にスピーカ挿入部１５，４３を一体に形成することにより構成したが、ランプ装着部１４，４２のみから構成しても良い。また、ランプ収容部を複数個のランプ装着部から構成し、これら複数個のランプ装着部に対応して複数個の配線基板を配設し、これら配線基板を接続線で接続するように構成しても良い。この場合、各ランプ装着部を、パチンコ機本体の離れた位置に取付けることができる。
発光体は、蛍光灯や電球等のランプのほかＬＥＤでも良い。
【００３５】
次に本発明の第４実施例を図８および図９に基づいて説明する。尚、上記第１実施例と同一部分については同一符号を付して説明を省略し、以下、異なる部分についてのみ説明を行う。まず、図８の（ａ）において、パチンコ機本体４７は、木材からなる外枠４８と、外枠４８に組込まれた略皿状をなす合成樹脂製の前面板４９とから構成されたものであり、パチンコ機本体４７の前面には遊技盤９が装着され、後面には機構盤が装着されている。
【００３６】
前面板４９の上端部には、図８の（ｂ）に示すように、横長な長方形状をなす枠部４９ａが一体形成されており、この枠部４９ａ内には、図８の（ａ）に示すように、左右方向中央部に位置して２本のボス部４９ｂが一体形成され、各ボス部４９ｂの側方に位置して縦長な板リブ４９ｃが一体形成されている。
【００３７】
枠部４９ａ内には、前面側に位置して電装品パネル５０が装着され、電装品パネル５０の後方側に位置してプリント配線基板５１が装着されている。これら電装品パネル５０および配線基板５１は、電装品ケース５０，配線基板５１を通して各ボス部４９ｂ，各板リブ４９ｃにねじ５２（図８のｂ参照）を締込むことに伴い、枠部４９ａ内に固定されたものであり、電装品パネル５０および配線基板５１間には、図８の（ａ）に示すように、複数のスペーサー５３が介在されている。
【００３８】
配線基板５１の後面には、左側部に位置して電源コネクタ（図示せず）が搭載されている。この電源コネクタは配線基板５１の電源パターン（図示せず）に接続されたものであり、この電源コネクタには対の電源コネクタ５４が嵌合されている。そして、この電源コネクタ５４には、電源用の配線コード５５が接続されており、配線コード５５は機構盤側（後方）へ延びている。
【００３９】
電装品パネル５０は白色の合成樹脂を射出成形してなるものであり、電装品パネル５０の左右方向中央部には、図８の（ｂ）に示すように、円形状をなす３つの開口部５０ａが形成され、各開口部５０ａの周縁部には、図８の（ａ）に示すように、前方へ突出する円筒状の光ガイド部５０ｂが一体形成されている。
【００４０】
配線基板５１の電源パターンには、前面に位置して６個のピン端子５６が半田付けされており、これら各ピン端子５６には、電気部品に相当する枠ランプ５７が着脱可能に嵌合されている。そして、電装品パネル５０の各光ガイド部５０ｂ内には、図８の（ｂ）に示すように、２個の枠ランプ５７が配置されており、各枠ランプ５７には、配線コード５５から配線基板５１の電源パターン，ピン端子５６を通して電源が与えられる。尚、ピン端子５６は接続器に相当するものである。
【００４１】
電装品パネル５０には、図８の（ａ）に示すように、配線基板５１の左右両側部に位置してスピーカ装着部５０ｃ，５０ｃが一体形成されている。これら各スピーカ装着部５０ｃは、後方へ凹む円形状をなすものであり、各スピーカ装着部５０ｃ内には、電気部品に相当するスピーカ５８が収納されている。そして、電装品パネル５０には取付リング５０ｄ，５０ｄがねじ止めされており、各スピーカー５８は、取付リング５０ｄに押さえられることに伴い、スピーカ装着部５０ｃ内に着脱可能に装着されている。尚、符号５９は、取付リング５０ｄを固定するねじを示している。
【００４２】
各スピーカ５８の電源端子には中継コード５８ａが接続されており、これら各中継コード５８ａにはスピーカコネクタ６０が接続されている。また、電装品パネル５０の中央部には、半円形状の開口部５０ｅ，５０ｅが形成されている。そして、配線基板５１の電源パターンには、前面に位置してスピーカコネクタ（図示せず）が半田付けされており、各スピーカコネクタは、開口部５０ｅを通して電装品パネル５０の前方へ突出している。
【００４３】
各中継コード５８ａのスピーカコネクタ６０は、配線基板５１のスピーカコネクタに嵌合されており、各スピーカ５８には、配線コード５５から配線基板５１の電源パターン，スピーカコネクタ６０，中継コード５８ａを通して電源が与えられる。
【００４４】
電装品パネル５０には、各スピーカ５８の近傍に位置して円形状の開口部５０ｆが形成されている。そして、配線基板５１の電源パターンには、接続器に相当するピン端子（図示せず）が半田付けされており、各ピン端子は、開口部５０ｆを通して電装品パネル５０の前方へ突出している。これら各ピン端子には、電気部品に相当する枠ランプ６１が着脱可能に嵌合されており、各枠ランプ６１には、配線コード５５から配線基板５１の電源パターン，ピン端子を通して電源が与えられる。
【００４５】
図９の前面扉６２は、合成樹脂製の扉枠６３と、扉枠６３内に組込まれた矩形状のガラス窓６４とから構成されたものであり、扉枠６３の左側部には、図８の（ａ）に示すように、上下端部に位置して軸６３ａが固定されている。
【００４６】
前面板４９の左側部には、図８の（ｃ）に示すように、上下端部に位置してボス部４９ｄ，４９ｄが一体形成されており、各組のボス部４９ｄ，４９ｄには金具６５が装着されている。これら各金具６５は、金具６５を通してボス部４９ｄにねじ６６を締込むことに伴い固定されたものであり、扉枠６３の各軸６３ａは、図８の（ａ）に示すように、金具６５に回転可能に挿着されている。
【００４７】
扉枠６３の右側部には、上下方向中央部に位置して錠装置（図示せず）が取付けられており、前面扉６２を矢印イ方向へ回動操作した後、錠装置を操作すると、前面扉６２が矢印イ方向へ回動した閉塞状態に拘束される。これにより、パチンコ機本体４７の前面が前面扉６２により覆われ、遊技盤９の前方にガラス窓６４が対向する。これと共に、各光ガイド部５０ｂの先端面が扉枠６３の後面に密着する。
【００４８】
扉枠６３の上端部には、図９に示すように、左右方向中央部に位置して横長な開口部６３ｂが形成されており、この開口部６３ｂ内には、ランプカバーに相当する横長なレンズ６７が挿着されている。このレンズ６７は、ポリカーボネート等の透光性合成樹脂により形成されたものであり、前面が閉塞された筒状をなしている。
【００４９】
レンズ６７の後端部には、レンズ６７を周回する鍔部（図示せず）が一体形成されており、レンズ６７は、鍔部を通して扉枠６３に複数本のねじ（図示せず）を締込むことに伴い固定されている。そして、レンズ６７の前端部は、図８の（ａ）に示すように、扉枠６３の前面から突出し、前面扉６２の閉塞状態では、６個のランプ５７がレンズ６７により前方から覆われる。
【００５０】
扉枠６３の上端部には、図９に示すように、レンズ６７の左右両側に位置して開口部６３ｃ，６３ｃが形成されており、これら各開口部６３ｃ内には、ランプカバーに相当するレンズ６８が挿着されている。これら各レンズ６８は、ポリカーボネート等の透光性合成樹脂により形成されたものであり、前面が閉塞された筒状をなしている。
【００５１】
各レンズ６８の後端部には、レンズ６８を周回する鍔部（図示せず）が一体形成されており、各レンズ６８は、鍔部を通して扉枠６３に複数本のねじ（図示せず）を締込むことに伴い固定されている。そして、各レンズ６８の前端部は、図８の（ａ）に示すように、扉枠６３の前面から突出し、前面扉６２の閉塞状態では、各スピーカ５８および各ランプ６１がレンズ６８により前方から覆われる。
【００５２】
各レンズ６８には、図９に示すように、円形状の開口部６８ａが形成されている。そして、各レンズ６８には、開口部６８ａを覆うパンチングメタル製のスピーカカバー６９が装着されており、前面扉６２の閉塞状態では、各スピーカ５８がスピーカカバー６９により前方から覆われる。尚、スピーカカバー６９は、スピーカカバー６９を成形型内に収容した状態でレンズ６８を射出成形することに伴い（いわゆるインサート成形）、レンズ６８に一体化されている。
【００５３】
機構盤にはメイン基板（図示せず）が装着され、このメイン基板には、マイクロコンピュータを主体とする制御装置（図示せず）が実装されており、制御装置は、遊技盤９の始動口（図示せず）内にパチンコ球が入賞したことを検出すると、配線コード５５から配線基板５１の電源パターン，スピーカコネクタ６０，中継コード５８ａを通して各スピーカ５８に電源を与える。すると、各スピーカ５８が鳴動し、各スピーカ５８から出力された音楽等の遊技音がスピーカカバー６９を通して放出される。
【００５４】
この状態で遊技盤９の図柄表示装置（図示せず）に大当り図柄が表示されると、制御装置は、配線コード５５から配線基板５１の電源パターン，ピン端子を通して各枠ランプ６１に電源を与える。すると、左右両側に位置する各枠ランプ６１が点灯し、各枠ランプ６１からの投射光がレンズ６８を通して投光される。
【００５５】
制御装置は、図柄表示装置に大当り図柄が表示されると、各枠ランプ６１を点灯させると共に、配線コード５５から配線基板５１の電源パターン，ピン端子５６を通して各枠ランプ５７に電源を与える。すると、各枠ランプ５７が点灯し、各枠ランプ５７からの投射光が光ガイド部５０ｂにより案内され、レンズ６７を通して投射される。このとき、制御装置は、各枠ランプ５７を通断電制御することに伴い、６個の枠ランプ５７を左側から右側へ向かって順に点灯させ、左側から右側へ光が流れる状態を演出する。
【００５６】
本実施例によれば、上記第１実施例と同様の作用効果が得られる上、スピーカ５８を中継コード５８ａを介して配線基板５１に接続したので、配線基板５１にスピーカ５８を直接搭載する場合とは異なり、配線基板５１の設置位置によるスピーカ５８の位置拘束が低減される。このため、スピーカ５８の設置位置の自由度が向上するので、例えば機種の相違によりスピーカ５８の設置位置がずれた場合でも、簡単に対応できる。
【００５７】
また、レンズ６８にスピーカカバー６９を装着したので、レンズ６８がスピーカカバー６９の取付枠と兼用化される。このため、スピーカカバー６９の専用取付枠が不要になるので、部品点数が削減され、構成が簡素化される。
【００５８】
また、枠ランプ５７および６１，スピーカ５８をパチンコ機本体４７に装着すると共に、パチンコ機本体４７側から延びる配線コード５５に接続したので、前面扉６２に枠ランプ５７および６１，スピーカ５８を装着する場合とは異なり、前面扉６２の開放時に配線コード５５が引出されることがなくなる。このため、配線コード５５に邪魔されることなく、枠ランプ５７および６１，スピーカ５８のメンテナンス作業を前面側から一層簡単に行うことができる上、メンテナンス作業時に配線コード５５が傷付くことが防止される。
【００５９】
尚、上記第４実施例においては、電装品パネル５０とスペーサー５３とを別ピースにしたが、これに限定されるものではなく、例えば、電装品パネル５０にスペーサー５３を一体形成しても良い。
【００６０】
また、上記第４実施例においては、レンズ６８および６９を扉枠６３にねじ止めしたが、これに限定されるものではなく、例えば、下記（１）〜（４）のようにしても良い。
（１）レンズ６８および６９を扉枠６３に一体形成する。
（２）レンズ６８および６９を扉枠６３の開口部６３ｂおよび６３ｃの内面に接着する。
（３）レンズ６８および６９を扉枠６３の開口部６３ｂおよび６３ｃ内に圧入する。
（４）レンズ６８および６９に係合部を一体形成し、扉枠６３に被係合部を一体形成する。そして、レンズ６８および６９の係合部を扉枠６３の被係合部に係合する（いわゆるスナップフィト）。
【００６１】
また、上記第４実施例においては、レンズ６８にスピーカカバー６９をインサート成形したが、これに限定されるものではなく、例えば、レンズ６８にスピーカカバー６９を接着したり、ねじ止めしたりしても良い。
また、上記第４実施例においては、配線基板としてプリント配線基板５１を用いたが、これに限定されるものではなく、例えば、絶縁性合成樹脂からなるベース板の表面に導体板を装着した構成の配線基板を用いても良い。
【００６２】
また、上記第４実施例においては、扉枠６３にガラス窓６４を組込んだが、これに限定されるものではなく、例えば、扉枠６３に合成樹脂製の透明窓を組込んだり、あるいは、合成樹脂製の扉枠６３に透明窓を一体成形しても良い。
また、上記第１〜第４実施例においては、接続器としてピン端子１６ａ〜１６ｃおよび５６を用いたが、これに限定されるものではなく、例えば、ランプ２３ａ〜２３ｃ，４４ａ〜４４ｃ，５７，６１が着脱可能に嵌合されるメス形の受け端子（コネクタ）を用いても良い。
【００６３】
また、上記第１〜第４実施例においては、電気部品としてスピーカ３および５８，ランプ２３ａ〜２３ｃおよび４４ａ〜４４ｃ，枠ランプ５７および６１を例示したが、これに限定されるものではなく、例えばブザー，テレビ，ラジオ等であっても良い。上記実施例には特許請求の範囲に記載された発明に加えて次の［発明１］〜［発明６］のそれぞれが記載されている。
［発明１］
遊技盤を有するパチンコ機本体と、このパチンコ機本体に装着されパチンコ機本体の前面を開閉する前面扉とを備え、前記パチンコ機本体には電気部品が装着され、前記前面扉には前記パチンコ機本体の閉塞時に前記電気部品を覆うカバーが設けられていることを特徴とするパチンコ機。この発明１によれば、前面扉を開放操作すると、電気部品のカバーが前面扉と一体的に移動し、電気部品が前面側に露出する。このため、ねじを緩めてカバーを取外す手間をかけることなく、電気部品のメンテナンス作業を前面側から簡単に行うことができる。
［発明２］
電気部品はパチンコ機本体側から延びる配線コードに接続されていることを特徴とする発明１に記載のパチンコ機。この発明２によれば、前面扉に電気部品およびカバーの双方を装着する場合とは異なり、前面扉の開放時に電気部品と共に配線コードが引出されることがなくなる。このため、配線コードに邪魔されることなく、電気部品のメンテナンス作業を前面側から一層簡単に行うことができる上、メンテナンス作業時に配線コードが傷付くことが防止される。
［発明３］
パチンコ機本体には配線基板が装着され、電気部品は配線基板を介して配線コードに接続されていることを特徴とする発明２に記載のパチンコ機。この発明３によれば、電気部品に個別に配線コードを直接接続する場合とは異なり、配線コードが入り乱れることが防止されるので、配線が簡素化される。
［発明４］
配線基板には電気部品の接続器が搭載され、電気部品は接続器および配線基板を介して配線コードに接続されていることを特徴とする発明３に記載のパチンコ機。この発明４によれば、電気部品が接続器を介して配線基板に接続されている。このため、電気部品を配線基板に接続する中継コードが不要になるので、特に配線基板上の配線が簡素化される。
［発明５］
電気部品と配線基板との間は中継コードを介して接続され、  電気部品は中継コードおよび配線基板を介して配線コードに接続されていることを特徴とする発明３に記載のパチンコ機。この発明５によれば、電気部品が中継コードを介して配線基板に接続されている。このため、配線基板に電気部品を直接搭載する場合とは異なり、配線基板の設置位置による電気部品の位置拘束が低減されるので、電気部品の設置位置の自由度が向上する。
［発明６］
遊技盤を有するパチンコ機本体と、このパチンコ機本体に装着されパチンコ機本体の前面を開閉する前面扉と、前記パチンコ機本体に装着され接続器が搭載された配線基板と、この配線基板に接続器を介して接続されたランプと、前記パチンコ機本体のうち前記配線基板の側方に装着され中継コードを介して前記配線基板に接続されたスピーカと、前記前面扉に装着され前記パチンコ機本体の閉塞時に前記ランプおよび前記スピーカを覆うランプカバーおよびスピーカカバーとを備えたことを特徴とするパチンコ機。この発明６によれば、前面扉を開放操作すると、ランプカバーおよびスピーカカバーが前面扉と一体的に移動し、メンテナンス作業の頻度が高いランプおよびスピーカが同時に露出する。このため、ランプおよびスピーカのメンテナンスを前面側から一度に行うことができるので、メンテナンス作業性が一層向上する。
【００６４】
【発明の効果】
以上の説明から明らかなように、本発明のパチンコ機は次の効果を奏する。
請求項１記載の手段によれば、パチンコ機本体にランプを装着し、前面扉にランプのランプカバーを設けた。このため、前面扉を開放操作するだけで、ランプが前面側に露出するので、ランプのメンテナンス作業を前面側から簡単に行うことができる。
【図面の簡単な説明】
【図１】本発明の第１実施例を示すもので、前面扉を開放させた状態のパチンコ機の上部部分を前面から見た斜視図
【図２】パチンコ機全体の正面図
【図３】ランプ装飾器本体を取外した状態を示す前面板の前面からの部分斜視図
【図４】ランプ装飾器本体から配線基板を取外した状態の前面からの斜視図
【図５】ランプカバー及びスピーカカバーを取外した状態を示す前面扉の前面からの部分斜視図
【図６】本発明の第２実施例を示すもので、ランプカバーを取外した状態を示す前面扉の前面からの部分斜視図
【図７】本発明の第３実施例を示す図１相当図
【図８】本発明の第４実施例を示す図（ａは要部を一部破断して示す上面図，ｂは要部を前面扉の開放状態で示す正面図，ｃはＸ線に沿う断面図）
【図９】前面扉の要部を示す正面図
【符号の説明】
３はスピーカ（電気部品）、６はパチンコ機本体、８は前面扉、９は遊技盤、１１はガラス板（透明窓）、１３ａ〜１３ｃはランプカバー（カバー）、１６は配線基板、２３ａ〜２３ｃはランプ（電気部品）、２６はスピーカカバー（カバー）、３１はランプカバー（カバー）、４４ａ〜４４ｃはランプ（電気部品）、４５ａ〜４５ｃはランプカバー（カバー）、４７はパチンコ機本体、５１はプリント配線基板（配線基板）、５５は配線コード、５６はピン端子（接続器）、５７は枠ランプ（電気部品，ランプ）、５８はスピーカ（電気部品）、５８ａは中継コード、６１は枠ランプ（電気部品，ランプ）、６２は前面扉、６４はガラス窓（透明窓）、６７はレンズ（カバー、ランプカバー）、６８はレンズ（カバー、ランプカバー）、６９はスピーカカバーを示す。
【図１】
0004235923.tif 000002
【図２】
0004235923.tif 000003
【図３】
0004235923.tif 000004
【図４】
0004235923.tif 000005
【図５】
0004235923.tif 000006
【図６】
0004235923.tif 000007
【図７】
0004235923.tif 000008
【図８】
0004235923.tif 000009
【図９】
0004235923.tif 000010